(57)【特許請求の範囲】
【請求項１】
電池ハウジングと、
少なくとも１つの単電池と、
接点とを含む、
電池組立体であって、
前記電池ハウジングは、外表面と内表面とを有する壁を含み、前記外表面は、底部表面部分と、側部表面部分と、前記底部表面部分と前記側部表面部分との間の接合部とを含み、前記内表面は、内部キャビティを定め、排出孔が、前記接合部で、前記外表面から前記内部キャビティまで、前記壁を通じて延び、
前記単電池は、前記内部キャビティ内に配置され、
前記接点は、前記電池ハウジングに結合され、且つ、前記少なくとも１つの単電池と電気的に連絡する、
電池組立体。
【請求項２】
前記接合部は、前記排出孔に亘って前記底部表面部分から前記側部表面部分まで前記接合部を横断して延びる排出通路を定める、請求項１に記載の電池組立体。
【請求項３】
前記排出通路及び前記排出孔は、水抜き穴を定め、前記排出孔は、前記排出通路の開口よりも小さい断面積を備える開口を有し、前記排出孔は、前記排出通路の中心部分に沿って配置され、前記排出通路は、前記外表面から前記内部キャビティまで前記壁を通じて延びない、請求項２に記載の電池組立体。
【請求項４】
前記排出孔は、前記排出通路の中心部分に沿って配置される、請求項２に記載の電池組立体。
【請求項５】
前記排出孔は、実質的に長方形の断面を有する、請求項１に記載の電池組立体。
【請求項６】
前記電池ハウジングの上に配置される充電レベル表示器を更に含む、請求項１に記載の電池組立体。
【請求項７】
前記接点は、動力工具によって受け入れられるよう構成される、請求項１に記載の電池組立体。
【請求項８】
電池ハウジングと、
少なくとも１つの単電池と、
接点とを含む、
電池組立体であって、
前記電池ハウジングは、外表面と内表面とを有する壁を含み、前記外表面は、底部表面部分と、側部表面部分、前記底部表面部分と前記側部表面部分との間の接合部とを含み、前記内表面は、内部キャビティを定め、複数の排出孔が、前記接合部で、前記外表面から前記内部キャビティまで、前記壁を通じて延び、前記接合部は、前記底部表面部分から前記側部表面部分まで、前記接合部を横断して延びる複数の排出通路を定め、該複数の排出通路の各々は、前記複数の排出孔の各々に亘って延び、
前記単電池は、前記内部キャビティ内に配置され、
前記接点は、前記電池ハウジング内に結合され、且つ、前記少なくとも１つの単電池と電気的に連絡する、
電池組立体。
【請求項９】
前記複数の排出通路及び前記複数の排出孔は、複数の水抜き穴を定め、前記複数の排出孔の各々は、それぞれの排出通路の開口よりも小さい断面積を備える開口を有し、前記複数の排出孔の各々は、前記それぞれの排出通路の中心部分に沿って配置され、前記複数の排出通路は、前記外表面から前記内部キャビティまで前記壁を通じて延びない、請求項８に記載の電池組立体。
【請求項１０】
前記複数の排出孔の各々は、実質的に長方形の断面を有する、請求項９に記載の電池組立体。
【請求項１１】
前記電池ハウジングの上に配置される充電レベル表示器を更に含む、請求項８に記載の電池組立体。
【請求項１２】
前記接点は、動力工具によって受け入れられるよう構成される、請求項８に記載の電池組立体。
【請求項１３】
前記複数の排出孔の各々は、前記排出通路の中心部分に沿って配される、請求項８に記載の電池組立体。
【請求項１４】
電池ハウジングと、
少なくとも１つの単電池と、
接点とを含む、
電池組立体であって、
前記電池ハウジングは、外表面と内表面とを有する壁を含み、前記外表面は、底部表面部分と、第一側部表面部分と、前記底部表面部分と前記第一側部表面部分との間の第一接合部と、該第一側部表面部分と別個の第二側部表面部分と、前記第一接合部とは別個の、前記底部表面部分と前記第二側部表面部分との間の第二接合部とを含み、前記内表面は、内部キャビティを定め、第一排出孔が、前記第一接合部で前記外表面から前記内部キャビティまで前記壁を通じて延び、第二排出孔が、前記第二接合部で前記外表面から前記内部キャビティまで前記壁を通じて延び、前記第一接合部は、前記第一排出孔に亘って前記底部表面部分から前記第一側部表面部分まで前記第一接合部を横断して延びる第一排出通路を定め、前記第二接合部は、前記第二排出孔に亘って前記底部表面部分から前記第二側部表面部分まで前記第二接合部を横断して延びる第二排出通路を定め、
前記少なくとも１つの単電池は、前記内部キャビティ内に配置され、
前記接点は、前記電池ハウジング内に結合され、且つ、前記少なくとも１つの単電池と電気的に連絡する、
電池組立体。
【請求項１５】
前記第一排出通路及び前記第一排出孔は、水抜き穴を定め、前記第一排出孔は、前記第一排出通路の開口よりも小さい断面積を備える開口を有し、前記第一排出孔は、前記第一排出通路の中心部分に沿って配置され、前記第一排出通路は、前記外表面から前記内部キャビティまで前記壁を通じて延びない、請求項１４に記載の電池組立体。
【請求項１６】
前記第一排出孔は、実質的に長方形の断面を有する、請求項１４に記載の電池組立体。
【請求項１７】
前記電池ハウジングの上に配置される充電レベル表示器を更に含む、請求項１４に記載の電池組立体。
【請求項１８】
前記接点は、動力工具によって受け入れられるよう構成される、請求項１４に記載の電池組立体。
【請求項１９】
前記第一排出孔は、前記第一排出通路の中心部分に沿って配置される、請求項１４に記載の電池組立体。
【請求項２０】
前記電池ハウジングを動力工具に解放可能に固定するために、前記電池ハウジングに結合されるタブ部材を更に含む、請求項１４に記載の電池組立体。
【発明の詳細な説明】
【技術分野】
【０００１】
本願は２０１１年１０月７日に出願された米国仮特許出願番号第６１／５４４，８８９号の優先権を主張し、その全文を参照として本願に援用する。
【背景技術】
【０００２】
本発明は電池（バッテリ）に関し、より具体的には、電池組立体（バッテリ組立体）の電池パックハウジング（バッテリパックハウジング）に関する。
【０００３】
電池組立体又は電池パック（バッテリパック）を様々な動力工具、ランプ、及び、器具に取り外し可能に結合し得る。電池組立体は様々な環境条件の下で使用されるので、液体水又は蒸気のような水分が電池組立体内に進入し得る。水分の蓄積は、腐食や短絡のような様々な問題を引き起こし得る。
【発明の概要】
【発明が解決しようとする課題】
【０００４】
本発明は従来技術の上記問題点を解決することを目的とする。
【課題を解決するための手段】
【０００５】
１つの実施態様において、本発明は電池組立体を提供する。電池ハウジングが外表面と内表面とを有する壁を含む。外表面は、底部表面部分と、側部表面部分と、底部表面部分と側部表面部分との間の接合部とを含む。内表面は内部キャビティを定め、排出孔が接合部で外表面から内部キャビティまで壁を通じて延びる。少なくとも１つの単電池が内部キャビティ内に配置される。接点が電池ハウジングに結合され、少なくとも１つの単電池と電気的に連絡する。
【０００６】
他の実施態様において、本発明は電池組立体を提供する。電池ハウジングが外表面と内表面とを有する壁を含む。外表面は、底部表面部分と、側部表面部分、底部表面部分と側部表面部分との間の接合部とを含む。内表面は内部キャビティを定める。複数の排出孔が接合部で外表面から内部キャビティまで壁を通じて延びる。接合部は、底部表面部分から側部表面部分まで複数の排出孔の各々を横断して延びる排出通路を定める。少なくとも１つの単電池が内部キャビティ内に配置される。接点は電池ハウジング内に結合され、少なくとも１つの単電池と電気的に連絡する。
【０００７】
更に他の実施態様において、本発明は電池組立体を提供する。電池ハウジングが外表面と内表面とを有する壁を含む。外表面は、底部表面部分と、第一側部表面部分と、底部表面部分と第一側部表面部分との間の第一接合部と、第一側部表面部分とは別個の第二側部表面部分と、第一接合部と別個の、底部表面部分と第二側部表面部分との間の第二接合部とを含む。内表面は内部キャビティを定める。第一排出孔が第一接合部で外表面から内部キャビティまで壁を通じて延びる。第二排出孔が第二接合部で外表面から内部キャビティまで壁を通じて延びる。第一接合部は底部表面部分から第一側部表面部分まで第一排出孔を横断して延びる第一排出通路を定め、第二接合部は底部表面部分から第二側部表面部分まで第二排出孔を横断して延びる第二排出通路を定める。少なくとも１つの単電池が内部キャビティ内に配置される。接点は電池ハウジング内に結合され、少なくとも１つの単電池と電気的に連絡する。
【０００８】
本発明の他の特徴は、以下の詳細な記載及び添付の図面を検討することによって明らかになるであろう。
【図面の簡単な説明】
【０００９】
【図１】本発明の１つの構成に従った電池組立体を示す斜視図である。
【図２】図１の線２−２に沿う電池組立体の断面を示す断面図である。
【図３】図１の電池組立体を反対側から示す斜視図である。
【図３Ａ】図３の電池組立体を示す詳細図である。
【図４】本発明の他の構成に従った電池組立体を示す斜視図である。
【図５】図４の電池組立体を反対側から示す斜視図である。
【図６】本発明の更に他の構成に従った電池組立体を示す斜視図である。
【図７】図６の電池組立体を反対側から示す斜視図である。
【発明を実施するための形態】
【００１０】
本発明のいずれの実施態様をも詳細に説明する前に、本発明は、その適用において、以下の記載中に記述され或いは添付の図面中に例示される構成及び構成部品の配置の詳細に限定されないことが理解されるべきである。本発明は他の実施態様も可能であり、様々な方法において実施又は遂行可能である。
【００１１】
図１は、動力工具に電力供給するためのような電池組立体１０を例示している。電池組立体１０は、電池ハウジング（バッテリハウジング）１４を含み、図２を参照すると、電池組立体１０は、複数の単電池１８も含む。
【００１２】
引き続き図２を参照すると、電池ハウジング１４は、内表面２６と外表面３０とを有する壁２２を含む。内表面２６は、内部キャビティ３４を定める。外表面３０は、頂部表面部分３８（図１）と、底部表面部分４２（図３）とを含む。
【００１３】
図３に例示するように、４つの側部表面部分４６が頂部表面部分３８と底部表面部分４２との間に延在している。接合部分５０が底部表面部分４２と各側部表面部分４６との間に定められている。
【００１４】
図３を引き続き参照すると、ハウジング壁２２は、接合部分５０で外表面３０からキャビティ３４（図２）に延びる排出孔５４を定めている。各排出孔５４は、実質的に長方形の断面を有しているが、各排出孔５４は、他の様々な断面形状を含み得る。図３Ａに例示するように、排出通路５８が、各排出孔５４に亘って、底部表面部分４２から側部表面部分４６まで、接合部分５０を横断して延びている。排出孔５４は、排出通路５４内で実質的に中心化されている。各排出通路５８及び各排出孔５４は、水抜き穴（ウィープホール）６２を共に定めている。図１乃至３に例示する構成では、１０個の水抜き穴６２が定められている。水抜き穴６２は、水又は他の汚物がキャビティ３４から外表面３０に流れるための経路をもたらす。
【００１５】
図２を参照すると、キャビティ３４内に配置される単電池１８は、電池接点６６に直列に接続されている。戻って図１を参照すると、電池接点６６（図２）は、電池接点ハウジング拡張部７０内で、頂部表面部分３８の上に配置されている。ハウジング拡張部７０は、１つ又はそれよりも多くの動力工具又は動力アクセサリと噛み合い係合するよう構成される。充電レベル表示器７４もハウジング内に配置され（図１）、追加的な充電、監視、及び、表示部品７８が、キャビティ３４内に配置されている（図２）。図１に示すように、ハウジング１４を動力工具に解放可能に固定するために、２つのタブ９０がハウジング１４に結合されている。
【００１６】
図４及び５は、本発明の他の構成に従った電池組立体１０を例示している。図１乃至３に関して記載した機能と類似する機能には、１の序数を備える類似の参照番号が付している。図４を参照すると、電池組立体１１０は、底部表面部分１４２を有するハウジング１１４を含む。ハウジング１１４を動力工具に解放可能に固定するために、２つのタブ１９０がハウジング１１４内に形成されている。
【００１７】
図５に示すように、ハウジング１１４の底部表面部分１４２は、排出孔１５４を含む。排出通路１５８が、各排出孔１５４に亘って、底部表面部分１４２から側部表面部分１４６まで、接合部分１５０を横断して延びている。各排出通路１５８及び各排出孔１５４は、水抜き穴（ウィープホール）１６２を共に定めている。
【００１８】
図６及び７は、本発明の他の構成に従った電池組立体２１０を例示している。図１乃至３に関して記載した機能と類似する機能には、２の序数を備える類似の参照番号が付している。図６は、ハウジング２１４と底部表面部分２４２とを有する電池組立体２１０を例示している。ハウジング２１４を動力工具に解放可能に固定するために、２つのタブ２９０がハウジング２１４内に形成されている。
【００１９】
図７を参照すると、ハウジング２１４の底部表面部分２４２は、排出孔２５４を含む。排出通路２５８が、各排出孔２５４に亘って、底部表面部分２４２から側部表面部分２４６まで、接合部分２５０を横断して延びている。各排出通路２５８及び各排出孔２５４は、水抜き穴（ウィープホール）２６２を共に定めている。
【００２０】
本発明の様々な機能及び利点を以下の請求項中に示す。
【符号の説明】
【００２１】
１０    電池組立体 (battery assembly)
１４    電池ハウジング (battery housing)
１８    単電池 (battery cell)
２２    壁 (wall)
２６    内表面 (inside surface)
３０    外表面 (outside surface)
３４    内部キャビティ (internal cavity)
３８    頂部表面部分 (top surface portion)
４２    底部表面部分 (bottom surface portion)
４６    側部表面部分 (side surface portion)
５０    接合部分 (junction portion)
５４    排出孔 (drain aperture)
５８    排出通路 (drain channel)
６２    水抜き穴 (weep hole)
６６    電池接点 (battery contact)
７０    電池接点ハウジング拡張部 (battery contact housing extension)
７４    充電レベル表示器 (battery charge level indicator)
７８    表示部品 (indication component)
９０    タブ (tab)
１１０  電池組立体 (battery assembly)
１１４  ハウジング (housing)
１４２  底部表面部分 (bottom surface portion)
１４６  側部表面部分 (side surface portion)
１５０  接合部分 (junction portion)
１５４  排出孔 (drain aperture)
１５８  排出通路 (drain channel)
１６２  水抜き穴 (weep hole)
１９０  タブ (tab)
２１０  電池組立体 (battery assembly)
２１４  ハウジング (housing)
２４２  底部表面部分 (bottom surface portion)
２４６  側部表面部分 (side surface portion)
２５０  接合部分 (junction portion)
２５４  排出孔 (drain aperture)
２５８  排出通路 (drain channel)
２６２  水抜き穴 (weep hole)
２９０  タブ (tab)
【図１】
0005676543.tif 000002
【図２】
0005676543.tif 000003
【図３】
0005676543.tif 000004
【図３Ａ】
0005676543.tif 000005
【図４】
0005676543.tif 000006
【図５】
0005676543.tif 000007
【図６】
0005676543.tif 000008
【図７】
0005676543.tif 000009